(57)【要約】  シート材料搬送装置は、軌道に沿って走行する複数のポケットを有しており、各ポケットは、第１の底部と第２の底部とを有しており、第２の底部は、第２の底部が第１の底部上に位置する第１の位置と、第２の底部が第１の底部上に配置されていない第２の位置との間を可動である。第２の底部を第１の位置と第２の位置との間において移動させるためにポケットの側部にアクチュエータが配置されている。関連するポケット及び方法も提供される。
2008520521.tif 000002
【特許請求の範囲】
【請求項１】
シート材料搬送装置において、
軌道に沿って走行する複数のポケットが設けられており、各ポケットが第１の底部と第２の底部とを有しており、該第２の底部が、第２の底部が第１の底部上に位置する第１の位置と、第２の底部が第１の底部上に配置されていない第２の位置との間を可動であることを特徴とする、シート材料搬送装置。
【請求項２】
各ポケットがさらに、第２の底部を第１の位置と第２の位置との間で移動させるためにポケットの側部にカムフォロアを有している、請求項１記載の装置。
【請求項３】
第１の底部が、収集された被印刷製品を解放させるように可動である、請求項１記載の装置。
【請求項４】
各ポケットが、回転可能なシャフトを有しており、該シャフトに第２の底部が固定されている、請求項１記載の装置。
【請求項５】
シャフトがラッチピンを有している、請求項４記載の装置。
【請求項６】
第２の底部が複数のフィンガを有している、請求項１記載の装置。
【請求項７】
各ポケットが、開口を有する壁部を含み、前記フィンガが前記開口を貫通するようになっている、請求項６記載の装置。
【請求項８】
各ポケットが、外側凸面を備えた回転可能なパドルを有している、請求項１記載の装置。
【請求項９】
被印刷材料のためのポケットにおいて、
第１の底部と、第２の底部とが設けられており、該第２の底部が、第２の底部が第１の底部上に位置する第１の位置と、第２の底部が第１の底部上に配置されていない第２の位置との間を可動であることを特徴とする、被印刷材料のためのポケット。
【請求項１０】
可動なポケットにおける２つのフォーマットサイズの収集を可能にする方法において、
可動なポケットの第１の底部に接触するように第１のフォーマットサイズの第１の被印刷材料を受容するステップと、
可動なポケットの第１の底部上に第２の底部を移動させるステップと、
可動なポケットの第２の底部に接触するように第２のフォーマットサイズの第２の被印刷材料を受容するステップとを含むことを特徴とする、可動なポケットにおける２つのフォーマットサイズの収集を可能にする方法。
【請求項１１】
第１の底部を移動させることによってポケットから第１の被印刷材料を解放させることを含む、請求項１０記載の方法。
【請求項１２】
第１及び第２の底部を移動させることによってポケットから第２の被印刷材料を解放させることを含む、請求項１１記載の方法。
【請求項１３】
第１の底部が移動させられる前に第２の被印刷材料を解放させるために第２の底部が移動させられる、請求項１２記載の方法。
【請求項１４】
第２の底部がカムによって作動させられる、請求項１０記載の方法。
【請求項１５】
第２の底部が回転する、請求項１０記載の方法。
【請求項１６】
シート材料搬送装置において、
軌道に沿って走行する複数のポケットが設けられており、
被印刷製品をポケットにおいて横方向に押し付けるための、外側凸面を有する回転可能なパドルが設けられていることを特徴とする、シート材料搬送装置。
【発明の詳細な説明】
【技術分野】
【０００１】
発明の背景
本発明は概して例えば新聞又はその他の被印刷材料を搬送するためのシート搬送装置、特に軌道上を移動するポケットを有するシート搬送装置に関する。本発明は、このようなポケット、及びポケットが少なくとも２つの異なる製品フォーマットを受容することができるようにする方法にも関する。
【０００２】
米国特許第５９１１４１６号明細書は、シート材料をシート材料フィーダから受容するために軌道上を可動な複数のポケットを備えたシート材料搬送装置を示している。これらのポケットは例えば、新聞の第１の外側セクションをまず第１のシート材料フィーダによってポケット内に供給させ、次いで、内側新聞セクションが第１の外側新聞セクションの折目の間に挿入させられる。
【０００３】
米国特許第５２５１８８８号明細書は無端経路に沿って可動なポケットを示している。各ポケットには、ポケットキャリヤにおいて可動に取り付けられた、２つの垂直方向に調整可能なストッパが設けられている。ガイド部材は、ポケットが無端経路に沿って移動させられながらストッパを垂直方向で調整するように設定されることができる。
【０００４】
米国特許第６３９０４６９号明細書は、複数のポケットを含むシート材料搬送装置を開示しており、各ポケットは、ポケットが定置の場合にポケットの高さを調整するための設定装置を有しており、設定装置は、設定ロッドと、リングギヤと、ロックリングとを有している。米国特許第５２５１８８８号明細書、米国特許第５９１１４１６号明細書及び米国特許第６３９０４６９号明細書は引用により本明細書に記載されたものとする。
【０００５】
被印刷製品を横方向で位置合わせするためにポケットにおいて使用するための平らな回転パドルが知られている。
【０００６】
発明の概要
本発明は、軌道に沿って走行する複数のポケットを含み、各ポケットが、第１の底部と第２の底部とを有しており、この第２の底部が、第２の底部が第１の底部上に位置する第１の位置と、第２の底部が第１の底部上に位置しない第２の位置との間を可動である、シート材料搬送装置を提供する。
【０００７】
ポケットは有利には、摺動可能又は作動可能な１つの底部に関連した複雑さなしに、種々異なるフォーマットがポケットによって受容されることを可能にする。
【０００８】
本発明は、第１の底部と第２の底部とを含み、この第２の底部が、第２の底部が第１の底部上に位置する第１の位置と、第２の底部が第１の底部上に配置されていない第２の位置との間を可動である、被印刷材料のためのポケットをも提供する。
【０００９】
本発明は、可動なポケットの第１の底部に接触するように第１のフォーマットサイズの第１の被印刷材料を受容するステップと；
可動なポケットの第１の底部上に第２の底部を移動させるステップと；
可動なポケットの第２の底部に接触するように第２のフォーマットサイズの第２の被印刷材料を受容するステップとを含む、可動なポケットにおける２つのフォーマットサイズの収集を可能にする方法をも提供する。
【００１０】
本発明は、軌道に沿って走行する複数のポケットと、被印刷製品をポケットにおいて横方向に押圧するための外側凸面を有する回転可能なパドルとを含む、シート材料搬送装置をも提供する。
【００１１】
回転可能なパドルの外側凸面は、可変フォーマットが使用される場合には特に有利である。なぜならば、被印刷製品の持上げが回避されるからである。
【００１２】
図面の簡単な説明
本発明の好適な実施形態は、以下の図面を参照しながら以下に説明される。
【００１３】
図１は、第２の底部が底部上に配置されていない場合の、本発明によるポケットの断面図を示している。
【００１４】
図２は、第２の底部が底部上に配置されている場合の、本発明によるポケットの断面図を示している。
【００１５】
図３は、図１の断面図を示している。
【００１６】
図４は、図２の断面図を示している。
【００１７】
図５及び図６は、図１から図４までに示されたポケットのサイドパドルを示している。
【００１８】
好適な実施形態の詳細な説明
図１は、第１のポケット壁部１２と第２のポケット壁部１４とを備えた本発明によるポケット１０の側面図を示しており、これらの壁部は、これらの壁部の間に被印刷材料のための受容領域を規定している。ポケット１０は第１の底部１６を有しており、この第１の底部は例えば第１及び第２の壁部１２，１４のうちの一方の一体的な区分であることができる。所定のフォーマットを有する被印刷製品は、例えばポケットの上方の複数のシート供給ステーションによってポケット内に収集されることができ、収集された被印刷製品は底部１６に当接する。収集は、被印刷材料の丁合い又は挿入を含むことができる。
【００１９】
底部１６は、収集された被印刷材料を底部を通じて解放するように、例えば回転によって可動であることができる。第２のポケット壁部１４は、ポケット１０を軌道に結合したシャフト又は装置に対して固定されていることができる。
【００２０】
第２の底部２０は、図２に示されているように第１の底部１６に対して可動である。第２の底部２０は例えば、図３に示されているように複数のフィンガ２２，２４，２６を有することができ、これらのフィンガは第２のポケット壁部１４に設けられた開口に嵌合する。第１の壁部１２は、１つ又は複数のフィンガの先端部２０のための１つ又は複数の開口１８を有することもできる。
【００２１】
したがって、第２の底部２０は有利にはポケット内の被印刷製品のための第２のストッパを提供することができ、被印刷材料は例えばより小さなフォーマットの被印刷製品である。より高い底部２０は、例えば一連の複数のより小さなフォーマットの被印刷材料をポケット１０に適切に収集するために必要又は有利である。
【００２２】
図３は、図１の平面図を示しており、シャフト１２２に定置に取り付けられた第２の底部２０を示しており、シャフト１２２は例えば、壁部１４に設けられた開口を通過するように方向Ｄに回転するようにばね負荷されていることができる。シャフト１２２に固定されたピン１２４は、図１及び図３に示されたように第２の底部２０が第１の底部１６上に位置していない場合にラッチ１２６と協働することによってシャフトがこの方向に回転するのを阻止することができる。
【００２３】
ポケット１０がカムを通過してカムフォロア２８を下方へ移動させると、これがラッチ１２６をばね３０の作用に抗してラッチブロック３２に対して回転させ、ラッチを解放させる。シャフト１２２及び第２の底部２０は回転し、第２の底部２０は壁部１４に設けられた開口を通過し、第２の底部２０が第１の底部１６の上に位置する図２及び図４に示された位置を占める。カムフォロア２８は解放されることができ、ラッチ１２６はピン１２４に当接し、閉鎖することはできない。第２の底部２０の位置はシャフト１２２におけるばね負荷を介して安定している。
【００２４】
カムフォロア３４がカムを介して下方へ押し付けられ、ばね負荷の方向とは反対方向にシャフト１２２を回転させると、すなわちピン１２４が上方へ移動するように回転させると、第２の底部２０は図１及び図３の位置へ戻ることができる。次いで、ラッチ１２６はばね３０の作用によって閉鎖することができ、第２の底部２０は第１の底部１６上に配置されない。
【００２５】
被印刷材料を収集するために第２の底部２０が使用される場合に被印刷製品をポケット１０の底部から解放させるために、第２の底部２０が移動させられる一方で、第１の壁部１２及び第１の底部１６が回転させられる。しかしながら、収集後にまず第２の底部２０を移動させることも好適であり、この場合、被印刷製品がまず第１の底部１６上に落下し、次いで第１の底部１６を移動させることによって被印刷製品を解放させる。この２段階方式は、被印刷製品が受ける重力による力を低減することができる。
【００２６】
図５及び図６はポケット１０の湾曲したサイドパドル４０の図を示しており、このサイドパドルは例えば図３及び図４に示されたように延長部４４において壁部１４に取り付けられることができる。カムフォロア４６は、位置４０Ａ，４０Ｂ，４０Ｃによって示されているように、延長部４４を中心にして回転するようにパドル４０を移動させることができる。パドル４０は、ポケット１０における被印刷製品に対して外側凸面４８を有しており、被印刷製品を横方向に方向４２へ移動させることができ、これにより、被印刷製品は、適切に位置決めされ、デリバリのために横方向で位置合わせされる。外側凸面４８は可変フォーマットポケットにおける回転パドルと共に使用するために特に有利である。なぜならば、凸面構造は、公知の平らなパドルとは異なり、パドルによって接触された場合により小さな被印刷製品が持ち上げられるのを阻止するからである。
【００２７】
本発明は、デュアルフォーマットポケットだけに限定されない。なぜならば、別のフォーマットのために第１及び第２の底部上に第３又はそれ以上の底部を付加することが可能であるからである。
【００２８】
複数のポケットは、搬送装置を規定するために、米国特許第５２５１８８８号明細書、米国特許第５９１１４１６号明細書及び米国特許第６３９０４６９号明細書に記載されているように軌道に沿って移動させられることができる。これらの米国特許明細書は引用により本明細書に記載されたものとする。
【００２９】
例えばGoss International Corporationから市販されているNP632インサータポケットからの既存のポケットは、第２の底部を有するように改装されることができる。
【図面の簡単な説明】
【００３０】
【図１】第２の底部が底部上に配置されていない場合の、本発明によるポケットの断面図を示している。
【図２】第２の底部が底部上に配置されている場合の、本発明によるポケットの断面図を示している。
【図３】図１の断面図を示している。
【図４】図２の断面図を示している。
【図５】図１から図４までに示されたポケットのサイドパドルを示している。
【図６】図１から図４までに示されたポケットのサイドパドルを示している。
【符号の説明】
【００３１】
１０  ポケット、  １２  第１のポケット壁部、  １４  第２のポケット壁部、  １６  底部、  １８  開口、  ２０  第２の底部、  ２２，２４，２６  フィンガ、  ２８  カムフォロア、  ３０  ばね、  ３２  ラッチブロック、  ４０  サイドパドル、  ４４  延長部、  ４８  外側凸面、  １２２  シャフト、  １２４  ピン、  １２６  ラッチ
【図１】
2008520521.tif 000003
【図２】
2008520521.tif 000004
【図３】
2008520521.tif 000005
【図４】
2008520521.tif 000006
【図５】
2008520521.tif 000007
【図６】
2008520521.tif 000008
【国際調査報告】
2008520521.tif 000009